(57)【要約】【課題】早期から床の使用が可能な床の施工方法の提供を目的とする。【解決手段】本発明に係る床１０の施工方法では、地面Ｇ上に、複数の支柱２１を有する支持体２０が立設される。次いで、支持体２０の上に、床材１１が設置される。その後、支持体２０を囲む側壁３０が形成され、床材１１と側壁３０とによって閉じられた空間Ｓ１に、充填材が充填される。そして、床材１１が、支持体２０と一体化した充填材によっても支持される。【選択図】図７
2019152043.tif 000002
【特許請求の範囲】
【請求項１】
基盤面よりも高い位置に床を施工する床の施工方法であって、
前記基盤面上に、複数の支柱を有する支持体を形成し、
前記支持体の上に床材を設置し、
前記基盤面と前記床材との間の空間に充填材を充填して、前記充填材と前記支持体とを一体化させる床の施工方法。
【請求項２】
前記支持体を囲む側壁を形成し、
前記床材と前記側壁とによって閉じられた前記空間に前記充填材を充填する請求項１に記載の床の施工方法。
【請求項３】
前記側壁を形成するにあたり、前記側壁を前記支柱に連結する請求項２に記載の床の施工方法。
【請求項４】
地面に開口部を有する地下空間の底面を前記基盤面とし、
前記開口部を閉塞するように、前記床材を前記支持体の上に設置し、
前記床材と前記地下空間の壁部とによって閉じられた前記空間に前記充填材を充填する請求項１に記載の床の施工方法。
【請求項５】
前記充填材として硬質ポリウレタンフォームを用いる請求項１乃至４の何れか１の請求項に記載の床の施工方法。
【請求項６】
前記支持体の形成にあたり、前記複数の支柱の上端部同士の間に横架材を水平に架け渡すと共に、前記横架材に根太材を固定し、
前記根太材を、断面門形状の本体部と、前記本体部の各脚部の下端部から外方に張り出したフランジ部と、を有する構造とし、
前記本体部の頂部に前記床材を固定する請求項１乃至５の何れか１の請求項に記載の床の施工方法。
【請求項７】
前記横架材を断面円形状とし、
前記横架材に外側から嵌合する円環状の嵌合部と、前記嵌合部から外側に張り出した張出片とからなる連結金具を準備し、
前記横架材に前記根太材を固定するにあたり、前記横架材に前記連結金具の前記嵌合部を外側から嵌合させ、前記連結金具の前記張出片と、前記根太材のフランジ部とを重ねて固定する請求項６に記載の床の施工方法。
【発明の詳細な説明】
【技術分野】
【０００１】
本発明は、長期使用が可能な床を基盤面よりも高い位置に施工する床の施工方法に関する。
【背景技術】
【０００２】
従来の床の施工方法では、特許文献１に示されるように、側壁に囲まれた空間に充填材が充填されてから、該充填材の上に床材が設置されていた。
【先行技術文献】
【特許文献】
【０００３】
【特許文献１】特許第２７７５６９３号（段落［０００２］、図２）
【発明の概要】
【発明が解決しようとする課題】
【０００４】
上述した従来の床の施工方法では、充填材が充填されてから床材が設置されるため、床の使用が可能となるまで時間がかかっていた。
【０００５】
本発明は、上記事情に鑑みてなされたものであり、早期から床の使用が可能な床の施工方法の提供を目的とする。
【課題を解決するための手段】
【０００６】
上記目的を達成するためになされた請求項１の発明は、基盤面よりも高い位置に床を施工する床の施工方法であって、前記基盤面上に、複数の支柱を有する支持体を形成し、
前記支持体の上に床材を設置し、前記基盤面と前記床材との間の空間に充填材を充填して、前記充填材と前記支持体とを一体化させる床の施工方法である。
【０００７】
請求項２の発明は、前記支持体を囲む側壁を形成し、前記床材と前記側壁とによって閉じられた前記空間に前記充填材を充填する請求項１に記載の床の施工方法である。
【０００８】
請求項３の発明は、前記側壁を形成するにあたり、前記側壁を前記支柱に連結する請求項２に記載の床の施工方法である。
【０００９】
請求項４の発明は、地面に開口部を有する地下空間の底面を前記基盤面とし、前記開口部を閉塞するように、前記床材を前記支持体の上に設置し、前記床材と前記地下空間の壁部とによって閉じられた前記空間に前記充填材を充填する請求項１に記載の床の施工方法である。
【００１０】
請求項５の発明は、前記充填材として硬質ポリウレタンフォームを用いる請求項１乃至４の何れか１の請求項に記載の床の施工方法である。
【００１１】
請求項６の発明は、前記支持体の形成にあたり、前記複数の支柱の上端部同士の間に横架材を水平に架け渡すと共に、前記横架材に根太材を固定し、前記根太材を、断面門形状の本体部と、前記本体部の各脚部の下端部から外方に張り出したフランジ部と、を有する構造とし、前記本体部の頂部に前記床材を固定する請求項１乃至５の何れか１の請求項に記載の床の施工方法である。
【００１２】
請求項７の発明は、前記横架材を断面円形状とし、前記横架材に外側から嵌合する円環状の嵌合部と、前記嵌合部から外側に張り出した張出片とからなる連結金具を準備し、前記横架材に前記根太材を固定するにあたり、前記横架材に前記連結金具の前記嵌合部を外側から嵌合させ、前記連結金具の前記張出片と、前記根太材のフランジ部とを重ねて固定する請求項６に記載の床の施工方法である。
【発明の効果】
【００１３】
［請求項１〜５の発明］
請求項１の発明によれば、支持体の上に床材を設置するという簡易的な構造を先に施工するので、早期から床の使用が可能となる。そして、床材と基盤面との間の空間に充填材を充填することで、支持体と一体化した充填材によっても床材が支持されるようになる。これにより、床の長期的な使用が可能となる。
【００１４】
なお、床の施工は、以下のように行ってもよい。即ち、本願の請求項２の発明のように、支持体を囲む側壁を形成し、床材と側壁とによって閉じられた空間に充填材を充填することで行ってもよいし、本願の請求項４の発明のように、地面に開口部を有する地下空間の底面を基盤面とし、開口部を閉塞するように床材を支持体の上に設置し、床材と地下空間の壁部とによって閉じられた空間に充填材を充填することで行ってもよい。前者の床の例としては、プラットホームの床やステージの床などが挙げられる。後者の床の例としては、地下通路や地下室を埋めて、その開口部に形成された床が挙げられる。
【００１５】
そして、支持体を囲む側壁を形成する場合、側壁を支柱に連結させる構造とすれば、側壁が安定的に固定される（請求項３の発明）。
【００１６】
なお、充填材には、硬質ポリウレタンフォームを用いてもよいし（請求項５の発明）、コンクリート、土砂又は気泡混合軽量土等を用いてもよい。充填材として使用する硬質ポリウレタンフォームとしては、あらかじめ発泡させておいた硬質ポリウレタンフォームからなるブロック、あらかじめ発泡させておいた硬質ポリウレタンフォームの粉砕物、現場で主剤（Ａ液）と硬化剤（Ｂ液）とからなる２液の液体原料を反応させ、吹き付けることにより形成される硬質ポリウレタンフォーム（現場発泡による硬質ポリウレタンフォーム）等が挙げられる。充填材に現場発泡による硬質ポリウレタンフォームを用いれば、基盤面と床材との間の空間における狭い隙間にも充填材を隙間無く充填させることができる。なお、充填材は、あらかじめ発泡させておいた硬質ポリウレタンフォームからなるブロックやその粉砕物と、現場発泡による硬質ポリウレタンフォームとが組み合わされて構成されていてもよい。
【００１７】
［請求項６の発明］
請求項６の発明によれば、根太材を、断面門形状の本体部を有する構造としたので、床材を安定的に根太材の頂部に固定することができる。さらに、根太材を、本体部の各脚部の下端部から張り出したフランジ部を有する構造としたので、根太材のフランジ部を利用して、容易に根太材を横架材に固定することができる。
【００１８】
［請求項７の発明］
請求項７の発明によれば、連結金具が、円環状の嵌合部から張出片が外側に張り出した構造になっているので、横架材が断面円形状であっても、その横架材に嵌合部を嵌合させた状態で、張出片と根太材とを固定することが可能となる。
【図面の簡単な説明】
【００１９】
【図１】第１実施形態に係る床を備えるプラットホームの斜視図
【図２】プラットホームのＡ−Ａ断面図
【図３】プラットホームのＢ−Ｂ断面図
【図４】連結金具の側断面図
【図５】（Ａ）パネル材の斜視図、（Ｂ）帯材の端部を示す拡大図
【図６】（Ａ）側壁固定部の斜視図、（Ｂ）側断面図
【図７】床の施工工程を説明するための側断面図
【図８】床の施工工程を説明するための側断面図
【図９】壁面材固定部の壁面材への固定を説明するための斜視図
【図１０】充填材の充填を説明するための模式図
【図１１】第２実施形態に係る床を備える地下充填体の（Ａ）側断面図、（Ｂ）昇降部周辺の拡大側断面図
【図１２】地下充填体のＣ−Ｃ断面図
【図１３】床の施工工程を説明するための側断面図
【図１４】充填材の充填を説明するための模式図
【図１５】他の実施形態に係る連結金具の（Ａ）側断面図、（Ｂ）側面図、（Ｃ）斜視図
【発明を実施するための形態】
【００２０】
図１に示されるように、本実施形態の床１０は、電車等の乗客の乗降の場となるプラットホーム１００の床であって、線路Ｒが敷設されている地面Ｇよりも高い位置に施工されている。具体的には、図２に示されるように、プラットホーム１００では、床１０を構成する床材１１が、地面Ｇの上に立設された支持体２０によって下方から支持されている。なお、本実施形態では、地面Ｇが支持体２０を支える基盤面となっている。
【００２１】
また、プラットホーム１００には、支持体２０の四方（手前側、奥側、左右側）を囲む側壁３０と、床材１１と側壁３０によって閉じられた空間に充填された充填材４０と、が備えられている。そして、床材１１は、支持体２０に一体化された充填材４０によっても下方から支持されている。なお、充填材４０は、現場発泡による硬質ポリウレタンフォームで構成されている。
【００２２】
図２に示されるように、支持体２０は、複数の支柱２１と、複数の支柱２１の間に水平に架け渡された横架材２２と、を備えている。支柱２１は、支柱２１の高さを調整するためのジャッキ２１Ａの上に柱本体２１Ｂを取り付けてなる。ジャッキ２１Ａは、例えば、ねじジャッキで構成されている。柱本体２１Ｂは、断面円形状に形成されていて、例えば、円形パイプで構成されている。なお、支持体２０では、プラットホーム１００の幅方向に所定数の支柱２１を並べてなる支柱２１の組がプラットホーム１００の長手方向に複数組並べられている。
【００２３】
横架材２２には、プラットホーム１００の長手方向に沿って延在する第１横架材２２Ａとプラットホーム１００の幅方向に沿って延在する第２横架材２２Ｂの２種類が存在する。第１横架材２２Ａと第２横架材２２Ｂはそれぞれ、支柱２１にクランプ等の固定金具によって固定されている。第１横架材２２Ａと第２横架材２２Ｂは共に、断面円形状に形成されていて、例えば、円形パイプで構成されている。
【００２４】
図４に示されるように、第１横架材２２Ａの中には、複数の支柱２１の上端部同士の間に架け渡される上端横架材２２Ｊが存在する。そして、この上端横架材２２Ｊに、連結金具２３を介して根太材２４が固定されている。
【００２５】
連結金具２３は、円環状に形成された嵌合部２３Ａと、嵌合部２３Ａから径方向外側に張り出した張出片２３Ｂと、からなる。嵌合部２３Ａの内径は上端横架材２２Ｊの外径と略同じになっていて、嵌合部２３Ａは上端横架材２２Ｊに外側から嵌合している。張出片２３Ｂは、嵌合部２３Ａの周方向で１８０度離れた２箇所から張り出していて、それら２つの張出片２３Ｂ，２３Ｂは共に、水平に配置されている。なお、嵌合部２３Ａは、ねじ締結により上端横架材２２Ｊに固定されている。
【００２６】
根太材２４は、断面門形状の本体部２４Ｈの１対の脚部２４Ｋ，２４Ｋにおけるそれぞれの下端部から外方にフランジ部２４Ｆが張り出した構造になっている。フランジ部２４Ｆは、連結金具２３の張出片２３Ｂの上に重ねて固定されている。そして、本体部２４Ｈの頂部２４Ｔの上に床材１１がビス止めされている。なお、フランジ部２４Ｆと張出片２３Ｂは、ねじ締結により固定されている。
【００２７】
図１に示されるように、床材１１は、複数のパネル材１２をプラットホーム１００の長手方向に並べてなる。図５に示されるように、パネル材１２は、連結部材１４によって複数の帯材１３が幅方向に連結されてなる。具体的には、連結部材１４は、断面Ｌ字状をなし、Ｌ字の一方の辺部を下方に向けた状態で帯材１３の幅方向に延在している。そして、連結部材１４におけるＬ字の他方の辺部が複数の帯材１３の下面に宛がわれた状態で、連結部材１４が複数の帯材１３にビス止めされている。
【００２８】
図５に示されるように、帯材１３は、厚み方向で対向する１対の主壁１３Ａ，１３Ａが複数の連絡壁１３Ｂによって連絡された構造をなしている。なお、連絡壁１３Ｂは、帯材１３の長手方向に沿って延在する。
【００２９】
図２に示されるように、側壁３０は、鉛直に配置された複数の壁面材３１を、プラットホーム１００の高さ方向と長手方向に複数並べてなる。壁面材３１は、上述した帯材１３と同じ構造になっていて、１対の主壁３１Ａ，３１Ａが複数の連絡壁３１Ｂによって連絡されてなる。そして、壁面材３１は、主壁３１Ａの幅方向が鉛直を向くように配置されている。
【００３０】
側壁３０の各壁面材３１は、側壁連結部５０によって支持体２０の支柱２１に連結されている。これにより、側壁３０の安定化が図られている。図６（Ａ）に示されるように、側壁連結部５０は、支柱２１に固定される支柱固定部５１と、壁面材３１に固定される壁面材固定部５２と、が連結されてなる。
【００３１】
具体的には、支柱固定部５１は、上述した連結金具２３と同様の構造をなし、支柱２１に外側から嵌合する嵌合部５１Ａから張出片５１Ｂが外側に張り出してなる。また、壁面材固定部５２は、ベースプレート５２Ｐから螺子シャフト５２Ｓが起立した構造になっている。ここで、壁面材３１のうち支持体２０側を向く主壁３１Ａには、主壁３１Ａの外縁から内側へ延びたスリット３１Ｓが形成されていて、壁面材固定部５２のベースプレート５２Ｐが壁面材３１の内側に受容されると共に、螺子シャフト５２Ｓがスリット３１Ｓに挿通されている。そして、ベースプレート５２Ｐが、ねじ締結によって主壁３１Ａに固定されると共に、螺子シャフト５２Ｓが、ねじ締結によって張出片５１Ｂに固定されている。
【００３２】
なお、床材１１と側壁３０との間、側壁３０と地面Ｇとの間、複数の帯材１３の間、複数の壁面材３１の間などは、パッキン等のシール材（図示略）によってシールされている。
【００３３】
本実施形態の床１０は、以下のようにして施工される。まず、図７（Ａ）に示されるように、地面Ｇの上に支持体２０が立設され（支持体形成工程）、支持体２０の上に床材１１が設置される（床材設置工程）。次いで、図７（Ｂ）に示されるように、支持体２０を囲む側壁３０が形成される（側壁構成工程）。側壁３０が形成されると、図８（Ａ）に示されるように、床材１１と側壁３０によって閉じられた空間Ｓ１に充填材４０が充填される（充填工程）。そして、充填材４０が支持体２０と一体化すると、図８（Ｂ）に示されるように、プラットホーム１００が完成すると共に、支持体２０及び充填材４０によって下方から支持される床１０が完成する。
【００３４】
支持体形成工程の詳細は以下の通りである。支持体形成工程では、まず、複数の支柱２１が地面Ｇの上に立てられると共に、それら複数の支柱２１の間に横架材２２が架け渡される。複数の支柱２１は、線路Ｒ（図１参照）の延在方向と該延在方向と直交する方向とに沿って並べられる。各支柱２１の高さは、必要に応じて、ジャッキ２１Ａにより調整される。なお、支柱２１を立てる作業に先立って、線路Ｒに最も近い列に並べられる支柱２１と線路Ｒから最も遠い列に並べられる支柱２１とには、支柱固定部５１（図６（Ａ）参照）が固定される。
【００３５】
横架材２２は、支柱２１に予め固定されたクランプ等の固定金具（図示せず）によって支柱２１に固定される。線路Ｒの延在方向に沿って配置された横架材２２は、第１横架材２２Ａとなり、線路Ｒと直交する方向に沿って配置された横架材２２は、第２横架材２２Ｂとなる。また、第１横架材２２Ａとなる横架材２２のうち支柱２１の上端部同士に架け渡される横架材２２は、上端横架材２２Ｊとなる。ここで、上端横架材２２Ｊとなる横架材２２には、予め、連結金具２３（図４参照）が固定されていて、上端横架材２２Ｊとなる横架材２２は、連結金具２３の張出片２３Ｂが水平となるように配置される。
【００３６】
上端横架材２２Ｊが複数の支柱２１の間に架け渡されると、連結金具２３に根太材２４が固定される。具体的には、根太材２４のフランジ部２４Ｆが連結金具２３の張出片２３Ｂの上に重ねられて、フランジ部２４Ｆと張出片２３Ｂがねじ締結される。以上により、支持体形成工程が終了する。このように、本実施形態では、上端横架材２２Ｊと根太材２４の間に介在する連結金具２３が、円環状の嵌合部２３Ａから張出片２３Ｂが外側に張り出した構造になっているので、横架材２２が断面円形状であっても、その横架材２２に嵌合部２３Ａを嵌合させた状態で、張出片２３Ｂに根太材２４を固定することが可能となる。
【００３７】
床材設置工程の詳細は以下の通りである。床材設置工程では、複数のパネル材１２が支持体２０の根太材２４の上に並べられて根太材２４（詳細には、根太材２４の頂部２４Ｔ）にビス止めされる。ここで、根太材２４の本体部２４Ｈは、断面門形状になっているので、床材１１を根太材２４に安定的に固定することが可能となる。
【００３８】
複数のパネル材１２は、線路Ｒの延在方向に並べられる。各パネル材１２は、連結部材１４（図５参照）を下向きにして、帯材１３の幅方向が線路Ｒと略平行となるように配置される。なお、床材設置工程の時間短縮を図るために、複数のパネル材１２は、床材設置工程に先立って準備される。パネル材１２は、複数の帯材１３が幅方向に並べられ、それら複数の帯材１３が連結部材１４で連結されることで形成される。
【００３９】
複数のパネル材１２が根太材２４に固定されると、床１０を構成する床材１１が支持体２０の上に設置され、床材設置工程が終了する。なお、床材設置工程終了時の床１０は、支持体２０のみによって下方から支持されていて、支持体２０は、床１０の短期的な使用に耐え得る程度の強度を有している。ここで、短期的な使用とは、特定の期間のみ存続することを目的として建設され、特定の期間後には解体される使われ方であり、所謂、仮設構造物としての使用である。具体的な期間は、目的や用途、メンテナンスの頻度等にもよるが、一般的には、６箇月から１年程度である。これに対し、長期的な使用とは、使用期限を設けず、継続的に使用することを目的として建設される使われ方であり、所謂、本設構造物、あるいは恒久構造物としての使用である。
【００４０】
側壁形成工程の詳細は以下の通りである。側壁形成工程では、複数の壁面材３１が支持体２０を四方から囲むように配置されると共に、各壁面材３１が支柱２１に固定される。壁面材３１は、スリット３１Ｓが形成された主壁３１Ａを支持体２０側に向けて、主壁３１Ａが鉛直となるように配置される。詳細には、複数の壁面材３１は、支持体２０の周りに並べられると共に、上下に段積みされる。壁面材３１同士の間の隙間、壁面材３１と地面Ｇの間の隙間、及び、壁面材３１と床材１１の間の隙間は、シール材によってシールされる。
【００４１】
壁面材３１には、予め壁面材固定部５２が固定されていて、壁面材固定部５２の螺子シャフト５２Ｓが、支柱２１に固定された支柱固定部５１の張出片５１Ｂにねじ締結される。螺子シャフト５２Ｓが張出片５１Ｂにねじ締結されると、壁面材３１が支柱２１に固定される。複数の壁面材３１が支柱２１に固定されると、側壁３０が完成し、側壁形成工程が終了する。そして、側壁形成工程が終了すると、床材１１の下方に、床材１１と側壁３０とによって閉じられた空間Ｓ１が形成される。なお、側壁３０には、空間Ｓ１の出入口が確保される。出入口は、例えば、側壁３０のうち線路Ｒの延在方向の一端部に配置される。
【００４２】
なお、壁面材固定部５２は、以下のようにして、壁面材３１に固定される。即ち、図９に示されるように、壁面材固定部５２のベースプレート５２Ｐが１対の主壁３１Ａ，３１Ａの間に差し込まれると共に、螺子シャフト５２Ｓがスリット３１Ｓに通される。そして、ベースプレート５２Ｐが、スリット３１Ｓを備えた主壁３１Ａに締結される。
【００４３】
充填工程の詳細は以下の通りである。充填工程では、充填材４０としての硬質ポリウレタンフォームの発泡原液が空間Ｓ１内に吹き付けられる。充填材４０は、空間Ｓ１の出入口から遠い側（例えば、線路Ｒの延在方向の他端部）から該出入口に近い側へ向かって充填される。そして、空間Ｓ１の全体が充填材４０で満たされると、支持体２０が充填材４０に埋没する。以上により、充填工程が終了する。なお、充填材４０は、床材１１と側壁３０によって閉じられた空間Ｓ１に充填されるので、充填材４０の飛散を防ぐ養生が不要となる。さらに、床材１１の設置のための充填材４０の上面を平らに仕上げる工程が不要となる。また、充填材４０が硬質ポリウレタンフォームで構成されることで、床材１１、支持体２０及び側壁３０を構成する部材（例えば、パネル材１２や支柱２１）の防錆が図られる。本実施形態では、現場にてポリオールや架橋剤、発泡剤等を主成分とする主剤（Ａ液）とイソシアネートを主成分とする硬化剤（Ｂ液）との２液を高圧で吐出（撹拌）することにより、吹き付けを行っている。なお、Ａ液、Ｂ液共に常温で液状となっている。
【００４４】
ここで、発泡原液が発泡硬化して硬質ポリウレタンフォームとなる過程で発熱が起こるため、発泡原液の吹き付けは、所定量ずつ行われる。従って、充填材４０は、空間Ｓ１のうち出入口から遠い側の端部から出入口へ向かって、層状に形成される。なお、発泡原液は、床材１１の下面と側壁３０の内面に優先的に吹き付けられる。具体的には、最初に形成される充填材４０の第１層４０Ｋ１は、床材１１の下面と側壁３０の内面に接するシェル状に形成され（図１０（Ａ））、２番目以降に形成される充填材４０の第２層４０Ｋ２及び第３層４０Ｋ３は、第１層４０Ｋ１の内側に縦壁状に形成される（図１０（Ｂ）参照）。そして、第１層４０Ｋ１の内側部分が充填材４０で満たされると、その充填材４０に対して出入口に近い側から、第１層４０Ｋ１と同様のシェル状の層が形成され、その層の内側部分に複数の縦壁状の層が形成される。
【００４５】
充填工程が終了して、充填材４０が支持体２０と一体化すると、プラットホーム１００（図１参照）が完成し、図２で示した床１０が完成する。そして、床１０が支持体２０だけでなく充填材４０によっても支持されることで、床１０の長期的な使用が可能となる（本設構造物となる）。
【００４６】
本実施形態の床１０の施工方法では、支持体形成工程の終了後、側壁形成工程及び充填工程の前に、床材設置工程を行う。床材設置工程では、支持体２０の上に床材１１が設置されることで、簡易的に床１０が形成され、床１０の短期的な使用が可能となる。これにより、施工完了まで待つことなく早期に床１０の使用が可能となる。しかも、本実施形態では、充填工程によって、床材１１が、支持体２０だけでなく充填材４０によっても下方から支持されるので、施工終了時には、床１０の長期的な使用が可能となる。
【００４７】
また、本実施形態では、充填材４０が現場発泡による硬質ポリウレタンフォームを直接吹き付けることで構成されているので、空間Ｓ１において、支持体２０を構成する各部品同士の間の隙間（例えば、横架材２２や根太材２４と床材１１との間の隙間、支柱２１と側壁３０との間の隙間）に充填材４０が充填され易くなる。その結果、充填材４０により空間Ｓ１が隙間無く充填され、床材１１の支持の安定化が図られる。
【００４８】
また、充填材４０が現場発泡による硬質ポリウレタンフォームを直接吹き付けることで構成されているので、充填材４０を床材１１の下面から下側へ向かって充填することが可能となり、充填材４０に空隙が発生することが抑えられ、充填材４０を隙間なく充填することができる。このため、床材１１と支持体２０と側壁３０とが充填材４０により一体化され、床材１１は、床材１１と支持体２０と側壁３０とが充填材４０を介して一体化した状態で支持されるようになる。これにより、プラットホーム１００を強固な本設構造物とすることができ、床１０の長期的な使用が可能となる。また、充填材４０が硬質ポリウレタンフォームで構成される場合、充填材４０が軽量なため、プラットホーム１００自体も軽量化が図られる。これにより、施工後に地盤沈下等により、プラットホーム１００が傾いたり、変形することを防ぐことが可能となる。
【００４９】
本実施形態では、連結金具２３と支柱固定部５１とが同じ構造になっているので、連結金具２３と支柱固定部５１の共通化が図られる。さらに、パネル材１２を構成する帯材１３と壁面材３１とが同じ構造になっているので、帯材１３と壁面材３１の共通化が図られる。
【００５０】
［第２実施形態］
図１１（Ａ）に示されるように、本実施形態の床１０Ｖは、地下通路２１０を埋める地下充填体２００によって形成される。地下通路２１０は、複数の地点に設けられた出入口２１１において地面Ｇに開口した複数の開口部２１１Ａと、開口部２１１Ａから地下へと向かう昇降部２３０と、地面Ｇと略平行に延びて昇降部２３０同士を連絡する通路本体２２０と、を備えている。なお、図１１（Ｂ）の例では、昇降部２３０に階段２３０Ｋが形成されているが、スロープが形成されてもよい。
【００５１】
地下充填体２００は、地下通路２１０の全体（即ち、昇降部２３０及び通路本体２２０の全体）に充填されている。地下充填体２００の上部は開口部２１１Ａを閉塞し、地下充填体２００の上面が地面Ｇと面一となっている。そして、地下充填体２００のうち開口部２１１Ａから露出する部分によって床１０Ｖが構成されている。
【００５２】
図１２に示されるように、地下充填体２００は、床材１１、支持体２０及び充填材４０を備える点で上記第１実施形態のプラットホーム１００と共通し、側壁３０を備えない点でプラットホーム１００と異なっている。地下充填体２００における床材１１、支持体２０及び充填材４０の構造については、上記第１実施形態と同じになっているので、同一の符号を付すことで説明を省略する。
【００５３】
地下充填体２００における床材１１は、地下通路２１０の開口部２１１Ａを閉塞している。また、地下充填体２００における支持体２０は、地下通路２１０の地下床面ＢＦの上に立設されている。地下床面ＢＦは、通路本体２２０の床面ＢＦ１及び昇降部２３０の床面ＢＦ２で構成され、支持体２０を支える基盤面となっている。図１１（Ｂ）に示される例では、支持体２０は、昇降部２３０の床面ＢＦ２の上にのみ立設されていて、支柱２１は、階段２３０Ｋの踏面（即ち、上側を向く面）の上に立てられている。
【００５４】
本実施形態の床１０Ｖの施工方法は、支持体形成工程、床材設置工程及び充填工程を含む点で上記第１実施形態の床１０の施工方法と共通し、側壁形成工程を含まない点で床１０の施工方法と異なっている。以下では、床１０Ｖの施工方法における支持体形成工程、床材設置工程及び充填工程について、上記第１実施形態の床１０の施工方法における支持体形成工程、床材設置工程及び充填工程と相違する部分を主に説明する。
【００５５】
支持体形成工程では、複数の支柱２１が地下通路２１０の地下床面ＢＦ（昇降部２３０の床面ＢＦ２）の上に立てられる（図１３（Ａ）参照）。本実施形態では、複数の支柱２１は、階段２３０Ｋの踏面の上に立てられる。なお、複数の支柱２１の上端は高さを揃えられ、地下通路２１０の開口部２１１Ａより若干下方に配置される。
【００５６】
床材設置工程では、複数のパネル材１２が地下通路２１０の複数の開口部２１１Ａを閉塞するように並べられる。そして、開口部２１１Ａを閉塞する床材１１が複数のパネル材１２によって形成され、床材１１と地下通路２１０の壁部（詳細には、地下通路２１０の床壁２１２と側壁２１３と天井壁２２１）とによって閉じられた空間Ｓ２が形成される。このとき、特定の開口部２１１Ａを閉塞する床材１１には、充填工程において作業者が出入りするための進入口（図示せず）が形成される。なお、床材設置工程が終了すると、支持体２０のみによって支持される床１０Ｖが簡易的に形成される。
【００５７】
充填工程では、特定の開口部２１１Ａとは異なる開口部２１１Ａから該特定の開口部２１１Ａに向かって、空間Ｓ２に充填材４０として現場発泡による硬質ポリウレタンフォームが吹き付けられて充填される。充填材４０は、複数回に分けて層状に形成される。具体的には、最初に形成される充填材４０の第１層４０Ｌ１は、特定の開口部２１１Ａとは異なる開口部２１１Ａを閉塞する床材１１の下面全体を覆うように水平に形成され（図１４（Ａ）参照）、２番目以降に形成される充填材４０の第２層４０Ｌ２、第３層４０Ｌ３及び第４層４０Ｌ４は、第１層４０Ｌ１の下方に縦壁状に形成される（図１４（Ｂ）参照）。そして、第１層４０Ｌ１の下方部分が充填材４０で満たされると、その充填材４０に対して特定の開口部２１１Ａに近い側から、第２層４０Ｌ２と同様の縦壁状の層が形成される。
【００５８】
本実施形態の床１０Ｖの施工方法によっても、床材設置工程の終了時に、床１０Ｖを形成する床材１１が支持体２０のみによって支持されるので、施工完了まで待つことなく早期に床１０Ｖの使用が可能となる。また、充填工程によって、床材１１が、支持体２０だけでなく充填材４０によっても下方から支持されるので、施工終了時には、床１０Ｖの長期的な使用が可能となる。また、本実施形態の床１０Ｖの施工方法では、側壁形成工程が含まれないので、施工期間の短縮が図られる。
【００５９】
［他の実施形態］
（１）充填材４０は、コンクリートや土砂、気泡混合軽量土によって構成されていてもよい。この場合、充填工程において、コンクリートや土砂で構成された充填材４０が、上側へ向かって堆積される。
【００６０】
また、充填材４０は、あらかじめ発泡させておいた硬質ポリウレタンフォームからなるブロックやその粉砕物と現場発泡による硬質ポリウレタンフォームを組み合わせることによって構成されていてもよい。このとき、充填工程では、硬質ポリウレタンフォームからなる複数のブロックやその粉砕物が空間Ｓ１，Ｓ２内に配置されるとともに、該ブロックやその粉砕物と床材１１及び側壁３０との隙間に硬質ポリウレタンフォームの発泡原液が吹き付けられる。ここで、現場発泡による硬質ポリウレタンフォームは、発熱反応によって高温となるところ、あらかじめ発泡させておいたブロックやその粉砕物を併せて用いることで、充填工程における硬質ポリウレタンフォームの発熱量を抑えることが可能となる。
【００６１】
（２）上記第１実施形態では、地面Ｇより高い位置に形成された床１０が、プラットホーム１００の床であったが、地面Ｇより高い位置に形成される床であればよく、例えば、ステージの床であってもよい。
【００６２】
（３）上記第１実施形態において、地面Ｇ上に立設されている既存の側壁（例えば、地面Ｇより高い位置に施工された屋外プールの側壁や、塀など）を側壁３０として利用してもよい。支持体２０を四方から囲む既存の側壁を側壁３０として利用すれば、側壁形成工程が不要となる。なお、既存の側壁を側壁３０の一部として利用してもよい。この場合でも、側壁形成工程の施工期間の短縮が図られる。
【００６３】
（４）上記第２実施形態では、地下充填体２００によって埋められるものの例として地下通路２１０が示されたが、地下の空間であればよく、例えば、地下室、地下倉庫、地下ピット等であってもよい。
【００６４】
（５）上記実施形態では、連結金具２３の張出片２３Ｂが、嵌合部２３Ａの２箇所からが張り出していたが、図１５（Ａ）に示されるように、連結金具２３の張出片２３Ｂが、嵌合部２３Ａの１箇所のみから張り出していてもよい。
【００６５】
（６）上記実施形態では、上端横架材２２Ｊへの根太材２４の連結が連結金具２３を介して行われていたが、図１５（Ｂ）に示されるように、連結金具２３の代わりに、Ｕ字ボルトを用いてもよい。このとき、Ｕ字ボルトの内側に上端横架材２２Ｊが配置され、Ｕ字ボルトの両端部が根太材２４の１対のフランジ部のそれぞれにねじ締結される。なお、図１５（Ｃ）に示されるように、プラットホーム１００の幅方向に延在させた上端横架材２２ＪにＵ字ボルトを介して根太材２４を連結してもよい。このとき、Ｕ字ボルトが根太材２４のフランジ部２４Ｆにねじ締結される。なお、プラットホーム１００の幅方向に延在させた上端横架材２２Ｊに、根太材２４のフランジ部２４Ｆを直接ビス止めしてもよい。このように、根太材２４のフランジ部２４Ｆを利用して、容易に根太材２４を上端横架材２２Ｊに固定することができる。
【００６６】
（７）上記実施形態では、第１横架材２２Ａと第２横架材２２Ｂが断面円形状に形成されていたが、第１横架材２２Ａと第２横架材２２Ｂが断面角形状に形成されていてもよく、例えば角形パイプで構成されていてもよい。この場合、連結金具２３を介さずに、根太材２４のフランジ部２４Ｆを直接上端横架材２２Ｊに固定することが可能となる。また、支持体２０が根太材２４を備えずに、床材１１が直接上端横架材２２Ｊにビス止めされてもよい。
【符号の説明】
【００６７】
１０，１０Ｖ    床
１１    床材
２０    支持体
３０    側壁
４０    充填材
１００    プラットホーム
２００    地下充填体
２１０    地下通路
【図１】
2019152043.tif 000003
【図２】
2019152043.tif 000004
【図３】
2019152043.tif 000005
【図４】
2019152043.tif 000006
【図５】
2019152043.tif 000007
【図６】
2019152043.tif 000008
【図７】
2019152043.tif 000009
【図８】
2019152043.tif 000010
【図９】
2019152043.tif 000011
【図１０】
2019152043.tif 000012
【図１１】
2019152043.tif 000013
【図１２】
2019152043.tif 000014
【図１３】
2019152043.tif 000015
【図１４】
2019152043.tif 000016
【図１５】
2019152043.tif 000017